(57)【要約】【課題】この考案は、支柱建て込みのために形成した円孔を簡単に土留めすることができ、支柱建て込み作業を容易にすることができる支柱建て込み孔保護用袋を提供することを目的とする。【解決手段】上述の課題を解決するため、この考案の支柱建て込み孔保護用袋１は、円柱状で高伸縮性の素材よりなる内袋２と、内袋２の外側に設けられ、円筒状で内袋２より低伸縮の素材よりなる外袋３と、内袋２に流体を導入する注入口４と、注入口４に設けられた逆止弁５と、注入口４に着脱可能に設けられた蓋取付け部材６を有することを特徴とする。【選択図】図１
0003132050.tif 000002
【実用新案登録請求の範囲】
【請求項１】
円柱状で高伸縮性の素材よりなる内袋と、
内袋の外側に設けられ、円筒状で内袋より低伸縮の素材よりなる外袋と、
内袋に流体を導入する注入口と、
注入口に設けられた逆止弁と、
注入口に着脱可能に設けられた蓋取付け部材を有することを特徴とする支柱建て込み孔保護用袋。
【考案の詳細な説明】
【技術分野】
【０００１】
この考案は、電柱などの支柱を建て込むために地中に掘削された孔を保護するための物品の形状および構造に関するものである。
【背景技術】
【０００２】
側溝や水道管などを設置するために地中に溝を形成する場合、鋼矢板や簡易矢板などの土留め部材によって溝の側面を支持しながら作業を進める。また、鋼矢板や簡易矢板以外にも、エアバッグにより側溝を土留めすることが、特許文献１から特許文献３などに記載されている。
【０００３】
一方、電柱などの支柱を建て込む場合には地中に円孔を掘削するが、鋼矢板など平面状のされた土留め部材では、円柱状の孔の土留めを行うことができない。したがって、一旦、円孔の掘削を開始したら、支柱の設置が完了するまで作業を中断することができない。
【特許文献１】特開平１０−２８０４１３号
【特許文献２】特開２００２−２７５８９７号
【特許文献３】特開２００２−２７５８９８号
【考案の開示】
【考案が解決しようとする課題】
【０００４】
電柱などの支柱の設置において、施工現場の土質などによっては作業が長引いて、その日の内に完了することが困難な場合があるが、作業を再開するまでの間、地中に形成された円孔を保護する有効な手段はない。また、孔の形成に要する時間は正確に予想しがたいため、設置する電柱等を予め現場に搬送し、建て込みを開始するまでその現場で保持される。しかし、市街地など作業空間が狭く人通りの多い作業現場において、電柱のような長い部材を長時間にわたって置くことは不便である。
【０００５】
特許文献１から特許文献３に記載されたエアバッグはいずれも溝の保護用のものであり、円柱状の孔の土留めに適用できない。
【０００６】
この考案は、支柱建て込みのために形成した円孔を簡単に土留めすることができ、支柱建て込み作業を容易にすることができる支柱建て込み孔保護用袋を提供することを目的とする。
【課題を解決するための手段】
【０００７】
上述の課題を解決するため、この考案の支柱建て込み孔保護用袋は、
円柱状で高伸縮性の素材よりなる内袋と、
内袋の外側に設けられ、円筒状で内袋より低伸縮の素材よりなる外袋と、
内袋に流体を導入する注入口と、
注入口に設けられた逆止弁と、
注入口に着脱可能に設けられた蓋取付け部材を有することを特徴とする。
【考案の効果】
【０００８】
この考案の支柱建て込み孔保護用袋は、地中に形成された円柱状の孔の側壁を効果的に支持し、孔を保護できるという効果を有する。設置および撤去が容易であり、使用しやすいという効果を有する。このため、円孔の形成後に作業中断することもでき、支柱建て込み工事を容易で柔軟性のあるものにすることができる。
【考案を実施するための最良の形態】
【０００９】
この考案を実施するための最良の形態について説明する。図１は支柱建て込み孔保護用袋を示す断面図である。この支柱建て込み孔保護用袋１は、円柱状で高伸縮性の素材よりなる内袋２と、内袋２の外側に設けられ、円筒状で内袋２より低伸縮の素材よりなる外袋３と、内袋２に流体を導入する注入口４と、注入口４に設けられた逆止弁５と、注入口４に着脱可能に設けられた蓋取付け部材６を有する。
【００１０】
内袋２と外袋３は概ね円筒状であり、流体を注入して膨らませたときに、対象となる孔を塞ぐことができる程度の大きさである。たとえば、電柱を建て込むための孔に適用する場合には、直径４５０ｍｍ、長さ２５００ｍｍ程度とすることができる。
【００１１】
内袋２は気密性と高伸縮性を備えた素材により形成される。たとえば、ゴムや伸縮性の合成樹脂などが使用できる。
【００１２】
外袋３は、内袋２より伸縮性の低い素材より形成される。なるべく伸縮性が低く、しかも石などと接触しても破れにくい丈夫な素材が好ましく、たとえば布や工事用ビニールシート、テント用シートなどの素材が使用できる。
【００１３】
図２は支柱建て込み孔保護用袋の上部を示す拡大詳細図である。注入口４を構成する部材は内袋２および外袋３の上部の中心には、内袋２に流体を導入するための注入口４が設けられている。注入口４を構成する部材は内袋２および外袋３に固定されている。中心部には流体が通過するための孔が貫通しているとともに、この孔の内壁にはネジ溝が形成されている。また、この注入口４の下部には逆止弁５が取り付けられている。ここでは、ゴム等の弾性素材の板を使用している。このゴム等の弾性素材の板の一部を注入口４に固定し、他の部分は接続されていない状態にし、その接続されていない部分は内袋２の内部に向けて折り曲げることができるようになっている。したがって、上部より外力がかかったときは、弾性素材の板の一部が内袋２の内部に向けて折り曲がり、流体が内袋２の内部に流入できる状態になる。一方、上部より、すなわち内袋２の内部より力が加わったときは、弾性素材の板は注入口４を塞ぐように密着する。
【００１４】
注入口４には着脱可能なように、蓋取付け部材６が設けられている。蓋取付け部材６は、中心部が中空となった略円筒状の部材であり、外周部には注入口４に係合するネジが形成されている。
【００１５】
次にこの支柱建て込み孔保護用袋の使用方法について図１に基いて説明する。支柱建て込むために形成された円孔ｘに支柱建て込み孔保護用袋１を挿入する。このとき、支柱建て込み孔保護用袋１は内部の流体を完全に抜いておくか、あるいは円孔ｘに容易に挿入できる範囲内である程度流体を注入しておく。また、蓋取付け部材６を注入口４に取り付けておく。
【００１６】
ついで、流体を供給するためのホース７を注入口４に差し込み、流体を内袋２に注入する。ここでは、工事用の汎用のコンプレッサー（図示省略）をホース７に接続し、空気を注入する。流体としては、空気以外に水を使用してもよい。さらに、まず水を少し注入し、そのあとに空気を注入することによって、支柱建て込み孔保護用袋１を地中から浮き上がりにくくすることも可能である。
【００１７】
内袋２が十分膨らんで、外袋３が円孔ｘの側壁をつよく押す程度になれば、流体の注入を中止し、ホース７を抜く。以上、極めて簡単な作業によって円孔の土留め作業は完了する。蓋取付け部材６に蓋８を取り付けることによって、内部の逆止弁５を保護する。工事を中断する場合には、この円孔ｘの周りをフェンス等で囲って、通行者が進入しないようにすることが好ましい。
【００１８】
ついで、支柱建て込み孔保護用袋１の撤去について説明する。蓋８を取り外し、注入口４にホースを挿入する。ここで、ホースの先端によって逆止弁５を内部に押し込むようにする。こうして、内袋２の内部の流体を排出する。流体の排出を終えたら、支柱建て込み孔保護用袋１を取り出す。円孔ｘは支柱建て込み孔保護用袋１によって元の形状を維持しているので、そのまま支柱を建て込むことができる。流体を抜いた支柱建て込み孔保護用袋１は小さくなり、簡単に移動させることができる。
【図面の簡単な説明】
【００１９】
【図１】支柱建て込み孔保護用袋を示す断面図である。
【図２】支柱建て込み孔保護用袋の上部を示す拡大詳細図である。
【符号の説明】
【００２０】
１．支柱建て込み孔保護用袋
２．内袋
３．外袋
４．注入口
５．逆止弁
６．蓋取付け部材
７．ホース
８．蓋
ｘ．円孔
【図１】
0003132050.tif 000003
【図２】
0003132050.tif 000004